(57)【要約】【課題】  外装材の内側に雨水等が浸入する虞がない庇取付構造を提供することを課題とする。【解決手段】  建物躯体の屋外側に配置された外装材Ｈ２を貫通して屋外へ突出する突出部と建物躯体に固定される基部とを有する庇取付ブラケットＴ１と、この庇取付ブラケットＴ１の突出部に取り付けられる庇本体１０と、庇取付ブラケットＴ１よりも上方において外装材Ｈ２を貫通して屋外へ突出する突出部と建物躯体に固定される基部とを有する吊材取付ブラケットＴ２と、一端が庇本体１０に取り付けられ、他端が吊材取付ブラケットＴ２の突出部に取り付けられる吊材Ｒと、を備える庇取付構造であって、庇取付ブラケットＴ１の突出部と外装材Ｈ２の間および吊材取付ブラケットＴ２の突出部と外装材Ｈ２の間が止水されていることを特徴とする。【選択図】      図１
2006307424.tif 000002
【特許請求の範囲】
【請求項１】
建物躯体の屋外側に配置された外装材を貫通して屋外へ突出する突出部と前記建物躯体に固定される基部とを有する庇取付ブラケットと、
当該庇取付ブラケットの前記突出部に取り付けられる庇本体と、を備える庇取付構造であって、
前記庇取付ブラケットの前記突出部と前記外装材の間が止水されていることを特徴とする庇取付構造。
【請求項２】
前記庇取付ブラケットよりも上方において前記外装材を貫通して屋外へ突出する突出部と前記建物躯体に固定される基部とを有する吊材取付ブラケットと、
一端が前記庇本体に取り付けられ、他端が前記吊材取付ブラケットの前記突出部に取り付けられる吊材と、をさらに備え、
前記吊材取付ブラケットの前記突出部と前記外装材の間が止水されていることを特徴とする請求項１に記載の庇取付構造。
【請求項３】
前記庇本体と前記外装材の間が止水されていることを特徴とする請求項１又は請求項２に記載の庇取付構造。
【発明の詳細な説明】
【技術分野】
【０００１】
本発明は、庇取付構造に関する。
【背景技術】
【０００２】
窓や玄関といった建物の開口部の上方には、雨や陽射を遮ることを目的として、庇が設けられている。このような庇の取付構造は、例えば特許文献１に開示されているように、建物躯体に固定されるブラケットと、このブラケットに取り付けられる庇本体とを備えて構成されている。
【０００３】
なお、特許文献１においては、ブラケットは、建物躯体に固定される基部と、建物躯体の屋外側に配置された外装材を貫通して屋外へ突出する突出部とを備えており、庇本体は、ブラケットの突出部に取り付けられている。
【０００４】
【特許文献１】特開２０００−１１０２９２号公報
【発明の開示】
【発明が解決しようとする課題】
【０００５】
特許文献１の庇取付構造では、ブラケットの突出部が外装材を貫通しているので、突出部と外装材の間から雨水等が浸入する虞がある。
【０００６】
そこで、本発明は、外装材の内側に雨水等が浸入する虞がない庇取付構造を提供することを課題とする。
【課題を解決するための手段】
【０００７】
このような課題を解決すべく創案された本発明は、建物躯体の屋外側に配置された外装材を貫通して屋外へ突出する突出部と前記建物躯体に固定される基部とを有する庇取付ブラケットと、当該庇取付ブラケットの前記突出部に取り付けられる庇本体と、を備える庇取付構造であって、前記庇取付ブラケットの前記突出部と前記外装材の間が止水されていることを特徴とする。
【０００８】
このような庇取付構造によると、庇取付ブラケットの突出部の周囲が水密になるので、外装材の内側に雨水等が浸入する虞がない。
【０００９】
なお、本発明に係る庇取付構造においては、前記庇取付ブラケットよりも上方において前記外装材を貫通して屋外へ突出する突出部と前記建物躯体に固定される基部とを有する吊材取付ブラケットと、一端が前記庇本体に取り付けられ、他端が前記吊材取付ブラケットの前記突出部に取り付けられる吊材と、をさらに備え、前記吊材取付ブラケットの前記突出部と前記外装材の間が止水されているものであってもよい。
【００１０】
このような庇取付構造によると、吊材取付ブラケットの突出部の周囲が水密になるので、外装材の内側に雨水等が浸入する虞がない。
【００１１】
なお、前記庇本体と前記外装材の隙間を止水すると、庇本体に滴下した雨水等が外装材を伝って建物の開口部に及ぶことがない。
【発明の効果】
【００１２】
本発明に係る庇取付構造によると、外装材の内側に雨水等が浸入する虞がない。
【発明を実施するための最良の形態】
【００１３】
以下、本発明を実施するための最良の形態を、添付した図面を参照しつつ詳細に説明する。
【００１４】
本実施形態に係る庇取付構造は、図１に示すように、建物Ｈの梁や柱などの躯体に取り付けられた庇取付ブラケットＴ１と、この庇取付ブラケットＴ１に取り付けられた庇本体１０とを備えており、さらに本実施形態では、庇取付ブラケットＴ１よりも上方において躯体に取り付けられた吊材取付ブラケットＴ２と、一端が庇本体１０に取り付けられ、他端が吊材取付ブラケットＴ２に取り付けられた吊材Ｒとを備えている。
【００１５】
庇本体１０は、建物Ｈの玄関や窓等の開口部Ｈ１の上方に付設されるものであって、本実施形態では、庇取付ブラケットＴ１の下側に配置されている。なお、庇本体１０の上面には、庇取付ブラケットＴ１に掛止される取付部材２０と、吊材Ｒの下端が接続される接続部材３０とが固定されている。
【００１６】
図２に示すように、庇本体１０は、骨組みとなる枠体１１と、枠体１１を挟んで上下に対向して配置された二枚の面材１２，１２（図３参照）と、二枚の面材１２，１２の間に配置されたコア材１３とを含むサンドイッチパネルからなる。なお、本実施形態においては、庇本体１０の側端部および前端部に先端部材１４が設けられており、さらに、庇本体１０の前端部にある先端部材１４には、その長手方向に沿って雨水等の水を集水して排水する雨樋１５が設けられている。また、庇本体１０の後端側（建物Ｈ側の端部）には、小口部材１６（図３参照）が設けられている。
【００１７】
枠体１１は、アルミニウム製またはアルミニウム合金製の中空押出形材を組み合わせ形成されている。押出形材同士は、溶接によって互いに接合されている。
【００１８】
枠体１１は、より詳細には、面材１２の外周縁に沿って配置される横枠材１１１，１１１および縦枠材１１２，１１２と、横枠材１１１，１１１を繋ぐ第一内枠材１１３，１１３と、縦枠材１１２と第一内枠材１１３とを繋ぐ第二内枠材１１４，１１４と、建物Ｈ側に配置された横枠材１１１に沿って配置された四つの補助枠材１１５，１１５，…とを備えて構成されている。
【００１９】
横枠材１１１は、面材１２の前端部および後端部に配置されており、縦枠材１１２は、面材１２の側端部に配置されている。
【００２０】
第二内枠材１１４の上面には、挿通孔１１４ａ，１１４ａが形成されており、第二内枠材１１４の内部には、中子部材１７（図３参照）が挿設されている。中子部材１７には、挿通孔１１４ａに対応する位置に雌ネジ穴１７ａ（図４の（ａ）参照）が形成されている。
【００２１】
補助枠材１１５には、図２に示すように、挿通孔１１５ａ，１１５ａが形成されており、補助枠材１１５の内部には、中子部材１８（図３参照）が挿設されている。なお、中子部材１８には、挿通孔１１５ａに対応する位置に雌ネジ穴１８ａ（図４の（ｂ）参照）が形成されている。
【００２２】
なお、第一内枠材１１３や第二内枠材１１４の配置は、庇本体１０の大きさや庇本体１０に作用する荷重の大きさに応じて決定されるものであり、変更しても差し支えない。
【００２３】
面材１２は、アルミニウム製またはアルミニウム合金製の圧延材からなり、ろう材あるいは接着剤を介して枠体１１およびコア材１３に接合されている。なお、上側の面材１２には、第二内枠材１１４の挿通孔１１４ａに対応する位置に挿通孔１２ａ（図５参照）が形成されており、補助枠材１１５の挿通孔１１５ａに対応する位置に挿通孔１２ｂ（図５参照）が形成されている。
【００２４】
コア材１３は、図２に示すように、複数の筒状体１３ａ，１３ａ，…を蜂の巣状に集合させたものであり、隣接する筒状体１３ａ，１３ａの側面同士がろう材あるいは接着剤を介して互いに接合されている。なお、図２では、コア材１３の一部のみを図示しており、図３および図４では、コア材１３の図示を省略しているが、コア材１３は、枠体１１で囲まれた領域の全体に配置されている。また、本実施形態においては、複数の筒状体１３ａ，１３ａ，…の集合体をコア材１３としたが、コア材１３の形態はこれに限定されることはなく、例えば、図示は省略するが、波形に成形された板材をコア材とすることもできる。
【００２５】
先端部材１４は、図３に示すように、断面横Ｌ字状を呈するアルミニウム製又はアルミニウム合金製の押出形材からなり、図示せぬビス等の固着具によって枠体１１に固定されている。なお、アルミニウム製又はアルミニウム合金製の圧延材にプレス加工を施して先端部材１４を形成してもよい。
【００２６】
雨樋１５は、断面コ字状を呈するアルミニウム製又はアルミニウム合金製の押出形材からなり、図示せぬビス等の固着具によって先端部材１４とともに枠体１１に固着される。
【００２７】
小口部材１６は、図４の（ｂ）に示すように、断面Ｌ字状を呈するアルミニウム製又はアルミニウム合金製の押出形材からなり、図示せぬビス等の固着具によって枠体１１に固定されている。また、小口部材１６と建物Ｈの外装材Ｈ２の間（隙間）には、シール材１６ａが介設される。なお、本実施形態においては、小口部材１６の上部を上側の面材１２よりも上方に突出させることで、庇本体１０に滴下した雨水が建物Ｈ側へ流れ込むことを防止している。
【００２８】
取付部材２０は、図５に示すように、庇本体１０の上面に固定される固定部２１と、この固定部２１に立設された立上部２２と、この立上部２２から張り出す掛止部２３とを備えている。取付部材２０は、例えば、断面略Ｌ字形状を呈するアルミニウム製またはアルミニウム合金製の押出形材を適宜な長さで切断することにより得ることができるが、鋳造品や切削品であってもよい。
【００２９】
固定部２１は、平板状を呈しており、面材１２の挿通孔１２ｂに対応する位置（すなわち、図４の（ｂ）に示す補助枠材１１５の挿通孔１１５ａおよび中子部材１８の雌ネジ穴１８ａに対応する位置）に挿通孔２１ａを備えている。
【００３０】
立上部２２は、固定部２１の挿通孔２１ａ，２１ａよりも外側に配置されており、かつ、庇取付ブラケットＴ１の二つの側面のうち、庇本体１０の外縁側にある側面を覆い隠すように配置されている（図６の（ａ）参照）。立上部２２には、その上下方向の中央部に二つの挿通孔２２ａ，２２ａが横に並んで形成されている。
【００３１】
掛止部２３は、図６の（ａ）に示すように、庇取付ブラケットＴ１の上端面に掛止される部位であり、本実施形態では、立上部２２の上端部から庇取付ブラケットＴ１に向かって張り出している。
【００３２】
取付部材２０を庇本体１０の上面に固定するには、図５に示すように、固定部２１の挿通孔２１ａにボルトＢ１を挿通し、その軸部を図４の（ｂ）に示す中子部材１８の雌ネジ穴１８ａに螺合すればよい。
【００３３】
なお、本実施形態においては、庇本体１０の建物Ｈ側の縁部に沿って四つの取付部材２０，２０，…が配置されているが、取付部材２０の位置や個数（すなわち、庇取付ブラケットＴ１の位置や本数）は、庇本体１０の大きさや庇本体１０に作用する荷重の大きさに応じて決定されるものであり、変更しても差し支えない。
【００３４】
接続部材３０は、図５に示すように、庇本体１０の上面に固定される固定部３１と、この固定部３１に立設された立上部３２とを備えている。接続部材３０は、例えば、断面略Ｔ字形状を呈するアルミニウム製またはアルミニウム合金製の押出形材を適宜な長さで切断することにより得ることができるが、鋳造品や切削品であってもよい。
【００３５】
固定部３１は、平板状を呈しており、面材１２の挿通孔１２ａに対応する位置（すなわち、図４の（ａ）に示す第二内枠材１１４の挿通孔１１４ａおよび中子部材１７の雌ネジ穴１７ａに対応する位置）に、挿通孔３１ａが形成されている。
【００３６】
立上部３２は、固定部３１の中央部に立設されている。また、立上部３２の中央部には、挿通孔３２ａが形成されている。
【００３７】
接続部材３０を庇本体１０の上面に固定するには、図５に示すように、固定部３１の挿通孔３１ａにボルトＢ２を挿通し、その軸部を図４の（ａ）に示す中子部材１７の雌ネジ穴１７ａに螺合すればよい。
【００３８】
なお、本実施形態においては、二つの接続部材３０，３０が配置されているが、接続部材３０の位置や個数（すなわち、吊材Ｒの位置や本数）は、庇本体１０の大きさや庇本体１０に作用する荷重の大きさに応じて決定されるものであり、変更しても差し支えない。
【００３９】
庇取付ブラケットＴ１は、図３に示すように、建物Ｈの外装材Ｈ２を貫通して屋外へ突出する突出部４１と建物Ｈの躯体となる柱に固定される基部４２とを備えている。なお、突出部４１と外装材Ｈ２の間（境界部分）は、止水されている。具体的には、突出部４１と外装材Ｈ２との境界部分にシーリング材４３を塗着してある。なお、シーリング材としては、例えば、アクリル系、シリコン系、変性シリコン系、ウレタン系のものがある。
【００４０】
図７の（ｂ）に示すように、突出部４１は、基部４２の中央よりもやや上側から岐出しており、その先端部分には、取付部材２０の挿通孔２２ａ，２２ａ（図５参照）に対応する挿通孔４１ａ，４１ａが形成されている。
【００４１】
基部４２は、平板状を呈しており、その上部および下部には、挿通孔４２ａ，４２ａが形成されている。
【００４２】
なお、庇取付ブラケットＴ１を柱に固定するには、基部４２を柱となる一対のリップ溝形鋼Ｈ３，Ｈ３で挟み込み、基部４２の挿通孔４２ａとリップ溝形鋼Ｈ３，Ｈ３に形成された図示せぬ挿通孔にボルトＢ６を挿通し、ナットＮ６で締結すればよい。
【００４３】
図３に示すように、吊材取付ブラケットＴ２は、庇取付ブラケットＴ１よりも上方において建物Ｈの外装材Ｈ２を貫通して屋外へ突出する突出部５１と建物Ｈの躯体となる梁に固定される基部５２とを備えている。なお、突出部５１と外装材Ｈ２の間は、止水されている。具体的には、突出部５１と外装材Ｈ２との境界部分にシーリング材５３を塗着してある。
【００４４】
基部５２は、図７の（ａ）に示すように、断面コ字状を呈し、梁となるＨ形鋼Ｈ４のウェブとフランジとで形成される空間にちょうど収まる本体部５２Ａと、この本体部５２Ａの幅方向の中央部に設けられた仕切部５２Ｂとを備えている。なお、本体部５２Ａには、Ｈ形鋼Ｈ４のウェブに形成された挿通孔５５ａに対応する挿通孔５２ａが形成されている。
【００４５】
突出部５１は、基部５２の仕切部５２Ｂの高さ方向の中央部から岐出しており、その先端部分には、挿通孔５１ａが形成されている。
【００４６】
なお、吊材取付ブラケットＴ２を梁に固定するには、梁となるＨ形鋼Ｈ４のウェブとフランジとで形成される空間に基部５２を嵌め込み、基部５２の挿通孔５２ａとＨ形鋼Ｈ４の挿通孔５５ａにボルトＢ７を挿通し、ナットＮ７で締結すればよい。
【００４７】
図３に示すように、吊材Ｒは、主材６１と、吊材取付ブラケットＴ２に接続される上側エンドプラグ６２と、接続部材３０に接続される下側エンドプラグ６３とを備えている。なお、主材６１は、ステンレス鋼管やアルミニウム合金製の中空押出形材などからなり、その上端部および下端部の内周面は、相反する方向に螺刻されて雌ネジになっている。また、上側エンドプラグ６２は、主材６１の上端部にある雌ネジに螺合されるネジ部６２１と、このネジ部６２１の一端に形成された接続端部６２２とを備えており、下側エンドプラグ６３は、主材６１の下端部にある雌ネジに螺合されるネジ部６３１と、このネジ部６３１の一端に形成された接続端部６３２と、ネジ部６３１に螺合された緩み止めナット６３３とを備えている。
【００４８】
次に、庇本体１０を建物に付設する手順の一例を、図３および図５を主に参照して説明する。
まず、建物Ｈの躯体となる柱や梁に庇取付ブラケットＴ１と吊材取付ブラケットＴ２とを固定し、その後、柱や梁に外装材Ｈ２を取り付ける（図３参照）。なお、庇取付ブラケットＴ１の突出部４１および吊材取付ブラケットＴ２の突出部５１は、外装材Ｈ２の目地を利用して外部へ突出させるとよい。
【００４９】
続いて、庇取付ブラケットＴ１の突出部４１と外装材Ｈ２との境界部分にシーリング材４３を塗着して止水するとともに、吊材取付ブラケットＴ２の突出部５１と外装材Ｈ２との境界部分にシーリング材５３をそれぞれ塗着して止水する（図３参照）。
【００５０】
また、上記の作業とは別に、庇本体１０に取付部材２０および接続部材３０を固定する。また、接続部材３０には、吊材Ｒの下側エンドプラグ６３を接続しておく。具体的には、下側エンドプラグ６３の接続端部６３２を接続部材３０の立上部３２の側面にあてがったうえで、接続端部６３２に形成された挿通孔６３２ａと立上部３２の挿通孔３２ａとにボルトＢ３を挿通し、これをナットＮ３で締結すればよい（図６の（ｂ）参照）。
【００５１】
その後、吊材Ｒが取り付けられた状態の庇本体１０を持ち上げ（あるいは吊り上げ）、取付部材２０を庇取付ブラケットＴ１に引っ掛ける（図６の（ａ）参照）。具体的には、取付部材２０の掛止部２３を庇取付ブラケットＴ１の突出部４１の上端面に載置すればよい。なお、吊材Ｒを庇本体１０に取り付けるには、庇本体１０の上面に接続部材３０を固定し、吊材Ｒの下側エンドプラグ６３の接続端部６３２を接続部材３０の立上部３２の側面にあてがったうえで、接続端部６３２に形成された挿通孔６３２ａと立上部３２の挿通孔３２ａとにボルトＢ３を挿通し、これをナットＮ３で締結すればよい（図６の（ｂ）参照）。
【００５２】
続いて、吊材Ｒの上側エンドプラグ６２を吊材取付ブラケットＴ２に接続する。具体的には、上側エンドプラグ６２の接続端部６２２を吊材取付ブラケットＴ２の突出部５１の側面にあてがったうえで、接続端部６２２に形成された挿通孔６２２ａと突出部５１に形成された挿通孔５１ａとにボルトＢ４を挿通し、これをナットＮ４で締結すればよい。
【００５３】
そして、取付部材２０の立上部２２に形成された挿通孔２２ａと庇取付ブラケットＴ１の突出部４１に形成された挿通孔４１ａとにボルトＢ５を挿通し、これをナットＮ５で締結し、さらに、庇本体１０の小口部材１６と外装材Ｈ２との間にシール材１６ａを詰め込むと、庇本体１０の取付が完了する。
【００５４】
なお、庇本体１０の勾配は、吊材Ｒの主材６１を適宜な方向に回転させて、上側エンドプラグ６２と下側エンドプラグ６３との距離を増減させることで調整することができる。庇本体１０の勾配が定まったら、緩み止めナット６３３を主材６１側に移動させて締結する。
【００５５】
以上のような庇取付構造によると、庇取付ブラケットＴ１の突出部４１の周囲および吊材取付ブラケットＴ２の突出部５１の周囲が水密になるので、外装材Ｈ２の内側に雨水等が浸入する虞がない。
【００５６】
さらに、本実施形態に係る庇取付構造においては、庇本体１０と外装材Ｈ２の隙間が止水されているので、庇本体１０に滴下した雨水等が外装材Ｈ２を伝って開口部Ｈ１に及ぶことがない。しかも、庇本体１０を建物Ｈに取り付ける前に、庇取付ブラケットＴ１の突出部４１の周囲および吊材取付ブラケットＴ２の突出部５１の周囲を止水することとしたので、止水作業が行い易い。
【００５７】
また、本実施形態に係る庇取付構造においては、庇本体１０の小口部材１６と外装材Ｈ２の隙間がシール材１６ａによって止水されているので、庇本体１０に滴下した雨水等が外装材Ｈ２を伝って建物Ｈの開口部Ｈ１に及ぶことがない。
【００５８】
また、庇本体１０を取り付けるに際しては、庇取付ブラケットＴ１に掛止される取付部材２０が庇本体１０の上面に露出しているので、庇本体１０の建物Ｈへの取付作業を、庇本体１０の上側から下向き姿勢で行うことが可能となり、ひいては、建物Ｈへの取付作業を簡単且つ効率よく行うことが可能となる。
【００５９】
また、本実施形態においては、取付部材２０が庇取付ブラケットＴ１に向かって張り出す掛止部２３を備えているので、取付部材２０と庇取付ブラケットＴ１とを接合する前であっても、庇本体１０の建物Ｈ側の縁部を庇取付ブラケットＴ１に支持させておくことが可能となり、その結果、位置決め作業や接合作業を簡易迅速に行うことが可能となる。
【００６０】
また、本実施形態に係る取付部材２０は、庇取付ブラケットＴ１の二つの側面のうち、庇本体１０の外縁側にある側面を覆い隠すように立上部２２が配置されているので、庇本体１０を見上げたときに庇取付ブラケットＴ１が視認され難く、すっきりとした外観となる。
【図面の簡単な説明】
【００６１】
【図１】本発明に係る庇取付構造を示す斜視図である。
【図２】本発明に係る庇取付構造を示す平面図であって、庇本体の面材の一部を破断させた図である。
【図３】図２のＸ−Ｘ線断面図である。
【図４】（ａ）は図３のＹ部拡大図、（ｂ）は図３のＺ部拡大図である。
【図５】本発明に係る庇取付構造の分解斜視図である。
【図６】（ａ）は取付部材を説明するための拡大正面図、（ｂ）は接続部材を説明するための拡大正面図である。
【図７】（ａ）は吊材取付ブラケットの斜視図、（ｂ）は庇取付ブラケットの斜視図である。
【符号の説明】
【００６２】
１０    庇本体
１１    枠体
１２    面材
１３    コア材
２０    取付部材
３０    接続部材
４３，５３    シーリング材
Ｔ１    庇取付ブラケット
Ｔ２    吊材取付ブラケット
Ｒ      吊材
Ｈ      建物
Ｈ２    外装材
【図１】
2006307424.tif 000003
【図２】
2006307424.tif 000004
【図３】
2006307424.tif 000005
【図４】
2006307424.tif 000006
【図５】
2006307424.tif 000007
【図６】
2006307424.tif 000008
【図７】
2006307424.tif 000009